(57)【特許請求の範囲】
【請求項１】
一端側(3)に大容量電線の裸線を挿入する電線挿通穴(8)を備えたスリーブ(9)を有する接続本体(1)であって、
該スリーブ(9)に連なる通電接続部(2)が、柱状体を軸線方向に沿って切断された略半柱体形に形成され、
該接続部(2)が、その長手方向に所定の間隔(s)を隔てた複数の連結ボルト孔(5)と、
前記一端側(3)に偏した箇所と他端側(4)に偏した箇所との何れか一方に形成された肉厚方向に凹入する嵌合穴(6)と、何れか他方に形成された前記嵌合穴(6)と嵌合する嵌合突起(7)とを備えた形状とされ、
このような形状とされた接続本体(1)が、２体一組として前記嵌合穴(6)と嵌合突起(7)が相互に嵌合し合う対称形姿勢に組み合わされ、前記連結ボルト孔(5)を介して一体的にボルト連結されて使用される構造としてある
大容量電線の接続装置。
【請求項２】
一端側(3)に大容量電線の裸線を挿入する電線挿通穴(8)を備えたスリーブ(9)を有する接続本体(1)と分岐体(11)とからなる電線接続装置であって、
接続本体(1)における前記スリーブ(9)に連なる通電接続部(2)が、柱状体を軸線方向に沿って切断された略半柱体形に形成され、
該接続部(2)が、その長手方向に所定の間隔(s)を隔てた複数の連結ボルト孔(5)と、
前記一端側(3)に偏した箇所と他端側(4)に偏した箇所との何れか一方に形成された肉厚方向に凹入する嵌合穴(6)と、何れか他方に形成された前記嵌合穴(6)と嵌合する嵌合突起(7)とを備えた形状とされ、
前記分岐体(11)が、平板状で、前記接続部(2)における所定の間隔(s)を隔てて形成された複数の連結ボルト孔(5)と対応する間隔(s)を隔てて形成された複数の連結ボルト孔(51)と、該間隔(s)方向と交差する方向に所要の間隔(d)を隔てて形成された別のボルト挿通孔(52)とが形成され、
該分岐体(11)を挟んで、前記接続本体(1)が２体一組として、前記嵌合穴(6)と嵌合突起(7)が相互に嵌合し合うか対向し合う対称形姿勢に配置され、前記接続本体(1)の連結ボルト孔(5)と分岐体(11)の連結ボルト孔(51)とを介して一体的にボルト連結され、かつ、
分岐体(11)における他のボルト挿通孔(52)を用いて分岐線を分岐させる構造を備えた
大容量電線の接続装置。
【発明の詳細な説明】
【技術分野】
【０００１】
本発明は、集合体建築物、殊に高層建築物等で電力幹線として配線される大容量電線を接続する電線接続装置と、該電線接続装置を利用して大容量電線から各階層で分岐配線される電線分岐構造を備えた電線接続装置に関するものである。
【背景技術】
【０００２】
従来から被覆電線どうしを接続する接続手段や、電線から分岐線を分岐させる手段は既に公知となっている。また、大容量電線から分岐線を分岐させる手段についても公知になっている。
【０００３】
後者の大容量電線から分岐線を分岐させる技術としては、本願出願人の開発した技術の他にも既に刊行物に記載され公知となっている。これらの先行技術は、何れも大容量電線の所定の中間部の被覆を剥離して芯線を露出させ、この芯線部分に、接続すべき分岐線の先端部の被覆を剥離した芯線部分どうしを沿わせて直接接触させ、これらの芯線どうしを断面Ｃ字形とした導体金属金具で圧着結合して通電可能な状態とし、その結合部分の周囲を特定形状に形成された絶縁ケースによって覆うか絶縁テープを巻回して絶縁するようにしたものである。
【先行技術文献】
【特許文献】
【０００４】
【特許文献１】特開平９−２８４９７１号公報
【特許文献２】特開平５−１４６０４５号公報
【発明の概要】
【発明が解決しようとする課題】
【０００５】
これらの特許文献１，２に記載の先行技術にあっては、何れのものも通電主体となる大容量電線の被覆を、分岐線の分岐箇所において、全周面にわたって剥離除去する必要があり、そのため時間と手数を要するものとなっていた。即ち、この大容量電線の途中部分の被覆を剥離する作業は、電線の切断端部の被覆を、電線の端部方向に向けて除去する作業とは比較にならない程度に時間を必要とするものである。
【０００６】
また、これらの特許文献１，２に記載の技術は、もともと長尺の電線の途中から分岐線を分岐させるという技術に関するものであるから、この分岐箇所で使用する絶縁ケースを利用して、電線の端部どうしを接続して一本の長尺電線とすることに関する技術については全く考慮されていない。
【０００７】
本発明は、このような従来技術にみられる電線の分岐専用の技術ではなく、高層建築物等の配線コア内に電力幹線として配線するのに極めて容易に配線できるようにした大容量電線の接続装置と、建築物内の各階層において必要となる分岐回線を、必要な本数だけ任意に分岐させて取り出すことができ、この分岐線の分岐が極めて迅速容易に行い得る分岐装置を備えた電線接続装置をここに提案しようとするものである。
【課題を解決するための手段】
【０００８】
該目的を達成するために講じた本発明にいうところの請求項１に記載の大容量電線の接続装置の構成を実施例として示した図面の符号を使用して説明すると、一端側３に大容量電線の裸線を挿入する電線挿通穴８を備えたスリーブ９を有する接続本体１であって、該スリーブ９に連なる通電接続部２が、柱状体を軸線方向に沿って切断された略半柱体形に形成され、該接続部２が、その長手方向に所定の間隔ｓを隔てた複数の連結ボルト孔５と、前記一端側３に偏した箇所と他端側４に偏した箇所との何れか一方に形成された肉厚方向に凹入する嵌合穴６と、何れか他方に形成された前記嵌合穴６と嵌合する嵌合突起７とを備えた形状とされ、このような形状とされた接続本体１が、２体一組として前記嵌合穴６と嵌合突起７が相互に嵌合し合う対称形姿勢に組み合わされ、前記連結ボルト孔５を介して一体的にボルト連結されて使用される構造としたものである。
【０００９】
続く請求項２に記載の大容量電線の接続装置の構成は、一端側３に大容量電線の裸線を挿入する電線挿通穴８を備えたスリーブ９を有する接続本体１と分岐体１１とからなる通電線接続装置であって、接続本体１における前記スリーブ９に連なる通電接続部２が、柱状体を軸線方向に沿って切断された略半柱体形に形成され、該接続部２が、その長手方向に所定の間隔ｓを隔てた複数の連結ボルト孔５と、前記一端側３に偏した箇所と他端側４に偏した箇所との何れか一方に形成された肉厚方向に凹入する嵌合穴６と、何れか他方に形成された前記嵌合穴６と嵌合する嵌合突起７とを備えた形状とされ、前記分岐体１１が、平板状で、前記接続部２における所定の間隔ｓを隔てて形成された複数の連結ボルト孔５と対応する間隔ｓを隔てて形成された複数の連結ボルト孔５１と、該間隔ｓ方向と交差する方向に所要の間隔ｄを隔てて形成された別のボルト挿通孔５２とが形成され、該分岐体１１を挟んで、前記接続本体１が２体一組として、前記嵌合穴６と嵌合突起７が相互に嵌合し合うか対向し合う対称形姿勢に配置され、前記接続本体１の連結ボルト孔５と分岐体１１の連結ボルト孔５１とを介して一体的にボルト連結され、かつ、分岐体１１における他のボルト挿通孔５２を用いて分岐線を分岐させる構造を備えた構成としたものである。
【発明の効果】
【００１０】
本発明にいう請求項１に記載の大容量電線の接続装置は、一端側のみに電線挿通穴を形成し、これに連なる接続本体を、複数の連結用ボルト孔と、相互に嵌合し合う嵌合穴と嵌合突起とを備えているものとし、これを２体一組として対称姿勢に組み合わせて連結ボルトによって連結一体化できるようにしたものであるから、連結体全体からみると構造簡単な形態で接続本体を形成でき、量産化に適し、大量生産が容易で、均質製品を製造し易いという優れた効果を有する。
【００１１】
更に、本発明は、接続本体の接続部を、柱状体を軸線方向に沿って半割形状に切断した形の略半柱体形状とし、この接続部に互いに嵌合し合う嵌合穴と嵌合突起とを備えさせた構造とし、これらの嵌合穴と嵌合突起とが軸線方向の２カ所で、柱状体の中心線を越えて他方の接続部側で互いに嵌合し合う形態としてあるため、それぞれの電線挿通穴に予め所要の電線をかしめ連結した状態で、２体一組として前記のように対称姿勢に組み合わせ姿勢とするだけで、連結ボルトによる連結前であっても、電線どうしを縦方向に吊り下げ状態として、高層建築物等の配線コア内に電力幹線を吊り下げ配線することができるという顕著な効果を有する。
【００１２】
請求項２に記載の大容量電線の接続装置は、上記の諸効果を有する接続本体を２体一組として対称姿勢に組み合わせて連結ボルトによって連結一体化できるようにしたものであるから、必要に応じて嵩の小さい２体一組の接続本体どうしだけで、建築物における配線コア内における配線を行い、この接続部が建築物の各階層に位置するように配置した状態で、各階層部において、必要な分岐回線を分岐させるに足る形状とした分岐体を選定し、この分岐体を２体一組の接続本体における接続部間に挟み込んでボルト連結し、該分岐体における分岐線取り出し部に必要となる分岐線をボルト連結するだけの操作で、必要な本数だけ任意に分岐させて取り出すことができ、この分岐線の分岐が極めて迅速容易にかつ確実に行い得るという顕著な効果を有する。
【図面の簡単な説明】
【００１３】
【図１】第１実施例の接続装置を示す斜視図。
【図２】接続本体の外表面と内表面とを示す平面図。
【図３】接続本体の連結方法を説明する中央縦断面図。
【図４】接続本体の連結状態を示す平面図。
【図５】図４の中央縦断面図。
【図６】電線接続状態を示す斜視図。
【図７】第２実施例の接続装置を示す平面図。
【図８】図７のＡ−Ａ線に沿った縦断面図。
【図９】分岐体を示す平面図。
【図１０】接続本体の連結状態を示す平面図。
【図１１】電線接続状態を示す一部縦断斜視図。
【図１２】他の分岐体を示す平面図。
【図１３】更に他の分岐体を示す平面図。
【発明を実施するための形態】
【００１４】
上記のような構造とした本発明にいう接続装置を実施するに当たっては、接続本体における接続部の連結表面を平坦面としたもののみならず、角形波形や弧状波形を長手方向や幅方向に沿って形成してあるものとし、２体の連結時における接触面積を増大させた構造として実施してもよい。言うまでもなくこの場合には、２体間に挟持させる分岐体の表背面の形状も同様に接触面積を増大させるに足る波形を備えた形状として実施するのが好ましい。また、分岐線が幹線に比して細線である場合には、それに見合った大きさの、前記接続本体と相似形の接続体を形成して使用するのも一つの手段であるが、別途形成した小径のスリーブを使用して、これを接続本体の電線挿通穴に挿通するか、分岐線の先端に外嵌して、前記の接続本体を使用するようにしてもよい。
【実施例１】
【００１５】
以下本発明の第１実施例について図面に基づいて説明する。該第１実施例に示した大容量電線の接続装置は、図１乃至図５に示したように、同一形状に形成した二つの部材を垂直軸と水平軸とにおいて軸対称に配置して組み合わせて使用する構造とした接続装置について示したものである。
【００１６】
而して、その構成部材である接続本体１は、図２，３において下側に示した部材の一端側（図において左側）３に、図１に示した大容量電線２１の絶縁被覆２２を剥離した裸線部分２３を挿入するための電線挿通穴８を備えたスリーブ９を有し、該スリーブ９の右側に連なる部分を通電接続部２としてある。
【００１７】
この通電接続部２の概形を、円柱体を軸線方向に沿って切断させた形状の略半円柱体状に形成し、その切断表面２ａを平坦面とし、この接続部２に、長手方向に所定の間隔ｓを隔てて二つの連結ボルト孔５，５とナット孔とを形成するとともに、該接続部２の前記一端側３に連なる端部に、幅方向全体にわたって連なる凹入溝を肉厚方向に凹入させた嵌合穴６を形成し、該接続部２における他端側４の終端部に、幅方向全体にわたって上方に突出する凸条形の嵌合突起７を形成してある形状としたものである。
【００１８】
このような形状に形成した接続本体１を２体一組として、殊に図３，５に示したように前記嵌合穴６と嵌合突起７とが相互に嵌合し合うように、前記のように軸対称形姿勢として組み合わせて、前記連結ボルト孔５，５を介して２本のボルトｂとナットｎで一体的に締め付け連結する構造としたものである。
【００１９】
このようにした接続本体１を２体一組として連結した状態は、図１の斜視図及び図４，５の平面図と断面図に示した通りである。
【００２０】
而して、このようにした接続装置を使用して２本の大容量電線２１，２１どうしの接続を行う手段の一つは、図１に示したように、先端部分の絶縁被覆２２を所定の長さ、具体的には接続本体１におけるスリーブ９内に形成してある電線挿通穴８にぴったりと納まる長さ分だけ剥離除去した裸線部分２３をそれぞれの電線挿通穴８に挿入して、スリーブ９の外周面を加圧工具によって加圧圧縮させて接続する。このようにして、図６に示したように２本の電線２１，２１を電気的に接続可能な状態にする。
【００２１】
重複を避けるため図面は省略したが、２本の電線２１，２１どうしを接続する他の手段としては、電線２１の被覆を剥離除去した裸線部分２３を、未連結の単体状態の接続本体１における電線挿通穴８に挿通し、当該スリーブ９の外周面を加圧圧縮させて予め電気的に接続したものを、２体一対としてボルト連結する方法がある。２本の電線どうしの接続はこのようにして実施することができる。
【００２２】
図７乃至図１１は第２実施例の大容量電線の接続装置を示した図である。この第２実施例に示した接続装置における図７，１０，１１の下側に示した幹線側の大容量電線の接続装置を構成する左右２体の接続本体１，１は、前記第１実施例に示した大容量電線の接続装置を構成する２体一対の接続本体１，１と同一のものを示している。したがって、接続本体１の構成については説明を省略する。
【００２３】
而して、該第２実施例に示した接続装置は、２体一対の接続本体１，１をボルトｂとナットｎによる連結に際して、図８，１０，１１に示したように別途形成した分岐体１１を介在させる。この分岐体１１は、図９に示したように平板状で、前記接続本体１の接続部２に形成してある二つの連結ボルト孔５，５と対応する間隔ｓを（図において左右方向）に隔てて形成した二つの連結ボルト孔５１，５１と、この間隔ｓ方向と交差する方向（図において上下方向）に所要の間隔ｄを隔てて形成された別の二つのボルト挿通孔５２，５２とを形成した形状としてある。
【００２４】
このようにした分岐体１１を、前記２体の接続本体１，１の接続部２，２の間に挟み込んで、接続本体１，１の連結ボルト孔５，５と該分岐体１１の連結ボルト孔５１，５１を貫通させて一体的にボルト連結する。この状態において、分岐体１１は図７のように、前記別の二つのボルト挿通孔５２，５２が存在する状態で接続本体１，１の一側（図において上方）に突出している。
【００２５】
この分岐体１１における突出部分に存在する二つのボルト挿通孔５２，５２を使用して図１１のように分岐線２１０を分岐させる。この分岐線２１０は、その先端部の裸線部分を、前記接続本体１と相似形で少し小形に形成した別体の接続本体１０における一側に形成してあるスリーブ９０内の電線挿通穴８０（図７参照）に挿入して、その外周面を加圧工具によって加圧圧縮して接続する。このようにした別体の接続本体１０における遊端４０側部分に突出させてある突条７０の内面を当てつけるようにして、その接続部（図外）をボルトｂとナットｎで分岐体１１に連結する。このようにして、分岐体１１を介して幹線と分岐線との電気的接続を行う。
【００２６】
この分岐体１１に対して、２体一対とした幹線側の接続本体１，１のように、他の別体の接続本体１０を連結することにより２本の分岐線を分岐させることができる。
【００２７】
図１２，１３はそれぞれ別の分岐体１１を示したものであって、図１２の分岐体１１は二つを一対としたボルト挿通孔５１，５２，５３を穿設形成したものであり、図１３に示した分岐体１１は、四対のボルト挿通孔５１，５２，５３，５４を穿設形成したものである。これらの図において付した各ボルト挿通孔５１，５２，５３，５４の符号は、便宜上付した符号であって、前記第２実施例のように、符号５１のボルト挿通孔が幹線用の接続本体１と接続させるための孔を示すものではなく、どの符号のボルト挿通孔を幹線用の接続本体１と接続させてもよい。
【００２８】
また、前記発明を実施するための形態の項に記載したように、前記分岐線が幹線の太さに比して太さの少し細い線の場合でも、前記第２実施例で示したように、分岐線の太さに見合った大きさの接続本体を別途形成して使用するのも一つの手段であるが、分岐線の太さに見合った径のスリーブを形成して、これを幹線用の接続本体の電線挿通穴に介在させる手段によって、幹線用の接続本体を使用することも一つの手段である。本願発明にいうところの分岐線の分岐手段は、このようにして実施してもよい。
【００２９】
以上本発明の代表的と思われる実施例について説明したが、必ずしもこれらの実施例に示した構造のもののみに限定されるものではなく、本発明にいう前記の構成要件を充足し上記発明の目的を達成し、上記の効果を有する範囲内において適宜改変して実施することができるものである。
【産業上の利用可能性】
【００３０】
本発明にいうところの大容量電線の接続装置は、構造を簡素化した単体の接続子を２体一対として連結して使用するようにし、２体の接続子を面接当させるだけで電線を吊り下げ配線することが可能な構造としてあるので、中層または高層建築物の幹線の配線を簡素化することができるので、大いに使用される可能性を備えたものである。
【符号の説明】
【００３１】
１  接続本体
２  通電接続部
３  接続本体一端側
５  連結ボルト孔
６  嵌合穴
７  嵌合突起
８  電線挿通穴
９  スリーブ
１１  分岐体
２１  電線
２２  絶縁被覆
２３  裸線部分
ｂ  ボルト
ｎ  ナット
【図１】
0005564317.tif 000002
【図２】
0005564317.tif 000003
【図３】
0005564317.tif 000004
【図４】
0005564317.tif 000005
【図５】
0005564317.tif 000006
【図６】
0005564317.tif 000007
【図７】
0005564317.tif 000008
【図８】
0005564317.tif 000009
【図９】
0005564317.tif 000010
【図１０】
0005564317.tif 000011
【図１１】
0005564317.tif 000012
【図１２】
0005564317.tif 000013
【図１３】
0005564317.tif 000014